(57)【要約】【課題】新規な蓋体、及びこの蓋体を用いる新規な容器を提供することを目的とする。【解決手段】本発明の一観点に係る容器１は、縁部１１１に返し部が形成されている本体部１１と、この本体部１１における縁部１１１の上面に配置された閉塞シート１２と、本体部の返し部に固定されている嵌合部１３と、ヒンジ部１４と、このヒンジ部１４に接続されている蓋部１５と、を有する。なおこの場合において、嵌合部１３は、縁部内側の形状と同様の形状を有して形成されていることは好ましい。【選択図】図２
2010120680.tif 000002
【特許請求の範囲】
【請求項１】
縁部に返し部が形成されている本体部と、
前記本体部における前記縁部の上面に配置された閉塞シートと、
前記本体部の前記縁部内側において固定されている嵌合部と、
前記本体部を覆う蓋部と、
前記蓋部と前記嵌合部とを接続するヒンジ部と、を有する容器。
【請求項２】
前記嵌合部は、前記縁部内側の形状と同様の形状を有して形成されている請求項１記載の容器。
【請求項３】
前記本体部に、前記嵌合部を支える突起部が形成されている請求項１記載の容器。
【請求項４】
前記嵌合部は、前記本体部の前記縁部内側であってかつ外壁部周囲に嵌めあわされるリング部を介して前記本体部の周囲に固定される請求項１記載の容器。
【請求項５】
前記嵌合部、前記ヒンジ部及び前記蓋部が一体に形成されてなる請求項１記載の容器。
【請求項６】
本体部の縁部内側において固定される嵌合部と、
前記本体部を覆う蓋部と、
前記蓋部と前記嵌合部とを接続するヒンジ部と、を有する蓋体。
【請求項７】
前記嵌合部は、前記縁部内側の形状と同様の形状を有して形成されている請求項６記載の蓋体。
【請求項８】
前記嵌合部は、前記本体部の前記縁部内側であってかつ外壁部周囲に嵌めあわされるリング部を介して前記本体部の周囲に固定される請求項６記載の蓋体。
【請求項９】
前記嵌合部、前記ヒンジ部及び前記蓋部が一体に形成されてなる請求項６記載の蓋体。
【発明の詳細な説明】
【技術分野】
【０００１】
本発明は、新規な蓋体に関する。また、本発明は、この蓋体を用いる新規な容器に関する。
【背景技術】
【０００２】
一般に、味噌等の食品を収容する容器は、実際に食品を収容する下側の本体部と、この下側の本体部の縁部に嵌め合わせ可能となっている蓋部と、を有して構成されている。そしてその販売時において、容器の本体部に食品が収納され、本体部と蓋部との間には、本体部を覆い、消費者が購入し使用を開始するまで食品が外気と触れないよう食品の品質を保持するための閉塞シートが配置されている（例えば下記特許文献１参照）。
【０００３】
上記技術は確かに使用開始まで食品の品質を保つ上で有用である。しかしながら、上記特許文献で例示される技術では、消費者が使用を開始するためには、一度蓋部を本体部から完全に取り外してこの蓋部をテーブル等の台の上に置き、閉塞シートを外す必要がある。更に、使用を終える場合は改めて蓋部を本体部と嵌め合わせる必要があり、不便である。特に、上記特許文献に記載の容器では、使用の度毎に蓋部を本体部から外して本体部を配置する台の上（例えばテーブルの上）に別途内面を上にして置く必要があるため、外した蓋部を本体部に嵌め合わせようとする際、蓋部の縁を摘んで持ち上げるなどの細かい作業が必要となるばかりでなく、使用を重ね、蓋部に食品が付着してしまった場合等であっても、蓋部を上記台の上に配置せざるを得ず、台の上を汚してしまう虞があるといった課題もある。
【０００４】
これらの課題を解決するものとして、食品を収容する本体部と、この本体部の縁部に嵌め合わせ可能となっている蓋部とが一体に成形された容器がある。本体部と蓋部との間には、本体部を覆い、食品の品質を保持するための閉塞シートが配置されている。この容器によれば、上述した問題が生じない。
しかしながら、この容器を射出成形により生産する場合、生産性が悪く、その結果経済性に劣るという問題がある。
【０００５】
これらの問題点を解決するものとして、Ｌ字形断面を有するリング状の嵌め合い部と蓋部とが一体に成形された蓋体がある。この蓋体の嵌め合い部は、本体部の縁部に嵌め合わせ可能となっている。また、本体部と嵌め合い部との間には、本体部を覆い、食品の品質を保持するための閉塞シートが配置されている。この蓋体、及びこの蓋体を用いる容器によれば、上述した問題が生じない。
【０００６】
【特許文献１】実用新案登録第２５９９９３６号公報
【発明の開示】
【発明が解決しようとする課題】
【０００７】
しかしながら、上述の蓋体においては、嵌め合い部が閉塞シートの周囲を覆ってしまうので、消費者が使用を開始するとき、嵌め合い部を本体部の縁部から外し、閉塞シートを剥がす必要がある。さらに、嵌め合い部を本体部の縁部に嵌め合わせる必要があり、消費者に余計な作業を課する結果となる。
【０００８】
また、食品を容器本体部から取り出すことを重ねるうち、食品が嵌め合い部と容器本体部の縁部上面との間に入りこみ、汚れてしまうという問題がある。さらに、蓋体を射出成形する場合、嵌め合い部に大量の材料が必要であり、材料費がかさみ、経済性に劣るという問題がある。
【０００９】
本発明は、このような課題に鑑みてなされたものであり、新規な蓋体を提供することを目的とする。
また、本発明は、上記蓋体を用いる新規な容器を提供することを目的とする。
【課題を解決するための手段】
【００１０】
上記課題を解決し、本発明の目的を達成するため、本発明の容器は、縁部に返し部が形成されている本体部と、前記本体部における前記縁部の上面に配置された閉塞シートと、前記本体部の前記縁部内側において固定されている嵌合部と、前記本体部を覆う蓋部と、前記蓋部と前記嵌合部とを接続するヒンジ部と、を有する。
【００１１】
本発明の蓋体は、本体部の縁部内側において固定される嵌合部と、前記本体部を覆う蓋部と、前記蓋部と前記嵌合部とを接続するヒンジ部と、を有する。
【発明の効果】
【００１２】
本発明は、以下に記載されるような効果を奏する。
【００１３】
本発明の容器は、縁部に返し部が形成されている本体部と、前記本体部における前記縁部の上面に配置された閉塞シートと、前記本体部の前記縁部内側において固定されている嵌合部と、前記本体部を覆う蓋部と、前記蓋部と前記嵌合部とを接続するヒンジ部と、を有するので、新規な容器を提供することができる。
【００１４】
本発明の蓋体は、本体部の縁部内側において固定される嵌合部と、前記本体部を覆う蓋部と、前記蓋部と前記嵌合部とを接続するヒンジ部と、を有するので、新規な蓋体を提供することができる。
【発明を実施するための最良の形態】
【００１５】
以下、本発明の実施形態について図面を参照しつつ説明する。ただし、本発明は多くの異なる態様で実施することが可能であり、以下に示す実施形態に限定されるものではない。なお、本明細書においては同一又は同様の機能を有する部分には同一の符号を付し、その繰り返しの説明は省略する。
【００１６】
（実施形態１）
図１は、本実施形態に係る容器の斜視概略図であり、図２は、図１におけるＡ−Ａ’で切断した場合の断面を示す概略断面図である。また図３は、図２における縁部の部分拡大図であり、図４は本実施形態に係る蓋体の概略斜視図である。
【００１７】
図２、３で示すとおり、本実施形態に係る容器１は、縁部１１１に返し部１１１１が形成されている本体部１１と、この本体部１１における縁部１１１の上面（以下「縁部上面」という。）１１１２に配置された閉塞シート１２と、本体部１１の縁部１１１の内側（以下「縁部内側」という。）１１１３に固定されている嵌合部１３と、嵌合部１３に接続されているヒンジ部１４とこのヒンジ部１４に接続され、本体部１１を覆う蓋部１５と、を有する。なお、製品販売時において、容器１の内部には例えば味噌等の食品２が収容されている。本実施形態において本体部１１及び蓋部１５は上面から見た場合において、角の丸い正方形となっている。
【００１８】
また本実施形態に係る容器１において、嵌合部１３は、縁部（返し部１１１１を含む）１１１の形状と同様の形状を有して形成され、縁部内側１１１３において嵌め合わされている。一方本実施形態において、容器１の本体部１１の外壁部には、嵌合部１３を支える突起部１１２が形成されている。突起部１１２を設けることで、嵌合部１３をより縁部側１１１３に安定的に固定させることができる。なお本実施形態において嵌合部１３、ヒンジ部１４及び蓋部１５は一体に形成されている。これにより成形が極めて容易である。
【００１９】
ヒンジ部１４は、蓋部１５と嵌合部１３を接続するためのものであって、この部分で折り曲げが可能となり、蓋部１５に本体部１１を覆わせることができる。なお上記の通り嵌合部１３、ヒンジ部１４及び蓋部１５は一体に形成されているため、成形が極めて容易となっている。
【００２０】
縁部の折り返し部１１１１の断面形状としては、限定されるわけではないが、例えば図２乃至４で示すように矩形状となっていることは、上面に閉塞シール１２を密着させ観点及び嵌合部１３の縁部内側１１１３と接する面積を増やし固定しやすくさせる観点から好ましい一態様である。また、図４の例では容器の本体部１１の一辺の一部にのみ嵌合部１３を設けた例を示しているが、例えば図５の例で示すように、側辺にもまたがる嵌合部１３を有するものとしても良い。このようにすることでより固定を確実にすることができる。
【００２１】
本実施形態において、容器１における本体部１１、嵌合部１３、ヒンジ部１４、蓋部１５の素材としては、密封性や折りたたみ等の作業に対する耐性を考慮し、いわゆるプラスチックを用いて形成されていることが好ましく、例えばポリエチレン、ポリプロピレン等を用いて構成することができるがこれに限定されない。
【００２２】
本実施形態において、閉塞シート１２は、上記の通り、消費者が使用を開始するまでに、本体部１１に収容される食品が外気に触れて劣化してしまうことを防止するために設けられるものであり、水や空気を通しにくい非透水性のシート、例えばポリエチレンなどの樹脂シートや、アルミニウム等の金属を用いたシート又はこれらを複数積層してなるシートであっても良い。また本実施形態において閉塞シート１２と本体部１１とは、使用前においてより密封性を高めるため、縁部上面１１１２との間にシール剤を設け接着することがより好ましい。この場合においてシール剤は、密封性を高めることができる限りにおいて限定されないが例えばポリエチレン、ポリアミド系の接着剤を好適に用いることができる。
【００２３】
本実施形態に係る容器１、具体的には本体部１１、嵌合部１３、ヒンジ部１４及び蓋部１５は、限定されるわけではないが、熱可塑性のプラスチックを採用すれば、いわゆる射出成型により容易に製造することができる。この場合、成型したい本体部１１、嵌合部１３、ヒンジ部１４又は蓋部１５の形状に対応した間隙を形成することのできるコアとキャビティとの組み合わせからなる金型を形成し、この金型の間隙に溶融したプラスチック材料を注入、冷却することで形成することができる。また、嵌合部１３、ヒンジ部１４と蓋部１５は、一体に形成しておくことは、経済性及び製造容易性の観点、ヒンジ部の強度確保の観点から好ましい。
【００２４】
本実施形態に係る容器１を購入した消費者は、まず、蓋部１５を本体部１１から外し、閉塞シート１２をはがす。したがって、従来の蓋体のように、嵌め合い部が閉塞シートの周囲を覆ってしまうことで、消費者が使用を開始するとき、嵌め合い部を本体部の縁部から外し、閉塞シートを剥がし、さらに、嵌め合い部を本体部の縁部に嵌め合わせるといった、消費者に余計な作業を課することがなくなる。
【００２５】
また、食品を容器本体部から取り出すことを重ねるうち、食品が嵌め合い部と容器本体部の縁部上面との間に入りこみ、汚れてしまうという問題がなくなる。さらに、蓋体を射出成形する場合、嵌め合い部に大量の材料を必要とせず、材料費を軽減でき、経済性に優れている。
【００２６】
以上本実施形態に係る蓋体は経済性に優れ、この蓋体を用いる容器は、消費者が簡便に使用を開始でき、使用中もきれいに保持できるものとなる。
なお、上面から見た本体部の形状が、略四角形状で形成されている場合について説明したが、本体部の縁部の形状は、略四角形状に限定されない。このほか、本体部の縁部の形状としては、円形、楕円形、他の多角形等通常容器として使用する形状に適用できる。
【００２７】
（実施形態２）
本実施形態は、実施形態１とほぼ同様であるが、本体部の縁部が上面から見た場合に略円形状で形成されている点、及び、嵌合部が本体部の外壁部周囲に嵌めあわされるリング部を有している点において異なる。なお、これらに付属して必然的に適宜調整される点も異なることはいうまでもない。
【００２８】
図６は、本実施形態に係る容器の斜視概略図であり、図７は、図６におけるＢ−Ｂ’の断面を示す概略断面図であり、図８は、図７における縁部の部分拡大図ある。更に、図９は、リング部１３１を有する嵌合部１３、ヒンジ部１４及び蓋部１５からなる蓋体の外略斜視図である。
【００２９】
本実施形態においてリング部１３１は、ヒンジ部１４に接続されており、本体部１１の外壁部周囲に嵌めあわされている。また本実施形態では、上記実施形態１と同様に外壁部周囲に突起部１１２が設けられており、リング部１３１及びヒンジ部１４を縁部内側においてより安定的に固定させることができている。本実施形態においてリング部１３１は嵌合部１３の一部であって、ヒンジ部１４及び蓋部１５と一体に形成されている。なお、本実施形態に置いては、蓋は略円形状のものを採用したが、蓋の形状はこれに限られず、楕円形状、四角形状等を適宜採用可能である。
【００３０】
また、本実施形態の他の例として、容器の本体部１１側の縁部近傍に、逆テーパーの凹凸を設けておくことも好ましい。この例を図１０に示しておく。このようにしておくことで、各部材を成形した後、リング部１３１を容器の本体部に嵌め合わせることで、リング部が容易に抜けてしまうことを防止し、より蓋の固定を安定化させることができるといった利点がある。
【００３１】
以上本実施形態に係る蓋体は経済性に優れ、この蓋体を用いる容器は、消費者が簡便に使用を開始でき、使用中もきれいに保持できるものとなる。また本実施形態によると、リング部を設ける構成としたため、縁部の折り返しを必要最小限に抑えることができるといった効果もある。
なお、上面から見た本体部の形状が、略円形状で形成されている場合について説明したが、本体部の縁部の形状は、略円形状に限定されない。このほか、本体部の縁部の形状としては、楕円形、四角等の多角形等通常容器として使用する形状に適用できる。
【産業上の利用可能性】
【００３２】
本発明は、容器として産業上の利用可能性がある。
【図面の簡単な説明】
【００３３】
【図１】実施形態１に係る容器の概略斜視図である。
【図２】実施形態１に係る容器の概略断面図である。
【図３】実施形態１に係る容器の概略断面図における縁部の部分拡大図である。
【図４】実施形態１に係る容器における蓋部、ヒンジ部及び嵌合部の概略斜視図である。
【図５】実施形態１に係る容器における蓋部、ヒンジ部及び嵌合部の他の例の概略斜視図である。
【図６】実施形態２に係る容器の概略斜視図である。
【図７】実施形態２に係る容器の概略断面図である。
【図８】実施形態２に係る容器の概略断面図における縁部の部分拡大図である。
【図９】実施形態２に係る容器における蓋部及びヒンジ部の概略斜視図である。
【図１０】実施形態２に係る容器の蓋部、ヒンジ部及び嵌合部の他の例の概略断面図における縁部の部分拡大図である。
【符号の説明】
【００３４】
１…容器、１１…本体部、１２…閉塞シート、１４…ヒンジ部、１５…蓋部、２…食品
【図１】
2010120680.tif 000003
【図２】
2010120680.tif 000004
【図３】
2010120680.tif 000005
【図４】
2010120680.tif 000006
【図５】
2010120680.tif 000007
【図６】
2010120680.tif 000008
【図７】
2010120680.tif 000009
【図８】
2010120680.tif 000010
【図９】
2010120680.tif 000011
【図１０】
2010120680.tif 000012